(57)【要約】      （修正有）【課題】建付け前・建付け後何れでも熟練を要せず綺麗に張付けることができる防虫網の張付け構造を提供する。【解決手段】各辺の縁に樹脂テープ１１を貼り合せて補強縁１２とした防虫網１０と、内周壁２１の内側に沿って、上端に鉤２２を形成した段付き隔壁２３を立ち上げ、上記防虫網１０の補強縁１２と後記押え蓋Ｆの鉤状リブ３１を設けたＴ字脚３２とを収容する段付き凹溝２４を形成したサッシＳと上記サッシＳに、軸方向に一部を開口した軸受け２７を形成し、この軸受け２７にＴ字脚３２を有する押え蓋Ｆのリブ状回転軸３３を嵌め入れてなる押さえ蓋Ｆとからなり、上記段付き凹溝２４の底部分に上記補強縁１２を差し込み、押え蓋Ｆを倒すと共に、そのＴ字脚３２を段付き凹溝２４に押し込み、上記段付き隔壁２３の上端の鉤２２に上記Ｔ字脚の鉤状リブ３１を係合させてなるものである。【選択図】図１
2010053677.tif 000002
【特許請求の範囲】
【請求項１】
（ａ）  各辺の縁に樹脂テープ（１１）を貼り合せて補強縁（１２）とした防虫網（１０）と、
（ｂ）  内周壁（２１）の内側に沿って、上端に鉤（２２）を形成した段付き隔壁（２３）を立ち上げ、上記防虫網（１０）の補強縁（１２）と後記押え蓋（Ｆ）の鉤状リブ（３１）を設けたＴ字脚（３２）とを収容する段付き凹溝（２４）を形成したサッシ（Ｓ）と
（ｃ）  上記サッシ（Ｓ）に、軸方向に一部を開口した軸受け（２７）を形成し、この軸受け（２７）にＴ字脚（３２）を有する押え蓋（Ｆ）のリブ状回転軸（３３）を嵌め入れてなる押さえ蓋（Ｆ）とからなり
上記段付き凹溝（２４）の底部分に上記補強縁（１２）を差し込み、押え蓋（Ｆ）を倒すと共に、そのＴ字脚（３２）を段付き凹溝（２４）に押し込み、上記段付き隔壁（２３）の上端の鉤（２２）に上記Ｔ字脚の鉤状リブ（３１）とを係合させてなる防虫網張付け構造。
【請求項２】
（ａ）  各辺の縁に樹脂テープ（１１）を貼り合せて補強縁（１２）とした防虫網（１０）と、
（ｂ）  内周壁（２１）の内側に沿って、鉤状段部（２８）を形成した段付き隔壁（２３）を立ち上げ、上記補強縁（１２）と後記押え蓋（Ｆ）のＴ字脚（３２）とを収容する段付き凹溝（２４）を形成し、上記段付き隔壁（２３）と外周壁（２５）との間に後記入れ子材（Ｉ）を収容する長さ方向に延びる懐（２６）を形成したサッシ（Ｓ）と
（ｃ）  上記懐（２６）に嵌り合って詰め物（４０）で固定され、サッシ（Ｓ）の外周壁側からツノ状リブ（４１）とリブ状固定軸（４２）とを順に設け、このリブ状固定軸（４２）に直行するようにサッシ（Ｓ）の内周壁（１１）に向けてアリ溝（４３）を設け、上記段付き隔壁（２３）に接する面には段付き隔壁（２３）に形成した鉤状段部（２８）に係合する鉤状リブ（４４）を形成した入れ子材（Ｉ）と
（ｄ）  上記入れ子材（Ｉ）のアリ溝（４３）に摺動可能に嵌り合い、後記押え蓋（Ｆ）の貫通孔（３４）を頭部５１と掛止め片５２が貫通し、押え蓋（Ｆ）の開閉を可能または阻止するクランプ（Ｃ）と、
（ｅ）  軸方向に一部開口した回動軸受け（３５）が、上記入れ子材（Ｉ）のリブ状固定軸（４２）に嵌まり合い、ツノ状リブ（４１）に向かって後方片（３６）が延び、上記段付き凹溝（２４）に対応する位置にＴ字脚（３２）を設け、上記クランプ（Ｃ）の頭部（５１）の貫通孔（３４）を設けた押え蓋（Ｆ）とからなり、
上記押え蓋（Ｆ）を開いて後方片（３６）をツノ状リブ（４１）に接触・強制通過させてその状態を維持し、上記段付き凹溝（２４）に上記補強縁（１２）を差し込み、次いでクランプ（Ｃ）の頭部（５１）が押え蓋（Ｆ）の貫通孔（３４）を通過するように位置させ、後方片（３６）をツノ状リブ（４１）に接触・強制通過させて押え蓋（Ｆ）を倒すと共に、Ｔ字脚（３２）を段付き凹溝（２４）に押し込み、クランプ（Ｃ）を摺動させて押え蓋を固定してするようにした防虫網張付け構造。
【請求項３】
（ａ）  各辺の縁に樹脂テープ（１１）を貼り合せて補強縁（１２）とした防虫網（１０）と、
（ｂ）  内周壁（２１）の内側に沿って、鉤状段部（２８）を形成した段付き隔壁（２３）を立ち上げ、上記補強縁（１２）と後記押え蓋（Ｆ）のＴ字脚（３２）とを収容する段付き凹溝（２４）を形成し、上記段付き隔壁（２３）と外周壁（２５）との間に後記入れ子材（Ｉ）を収容する長さ方向に延びる懐（２６）を形成し、外周壁（２５）の隅に上向き・軸方向に開口したビスホール（２０）を形成したサッシ（Ｓ）と
（ｃ）  上記サッシ（Ｓ）のビスホール（２０）の外面（２０ａ）に接する凹面（４５）と上記段付き隔壁（２３）の鉤状段部（２８）に係合する鉤状リブ（４４）を設け、上記凹面側にリブ状固定軸（４２）を設け、このリブ状固定軸（４２）に直行する方向にサッシ（Ｓ）の内周壁（１１）に向けてアリ溝（４３）を形成した入れ子材（Ｉ）と
（ｄ）  上記入れ子材（Ｉ）のアリ溝（４３）に摺動可能に嵌り合い、後記押え蓋（Ｆ）の貫通孔（２６）を頭部５１と掛止め片５２が貫通し、押え蓋（Ｆ）の開閉を可能または阻止するクランプ（Ｃ）と、
（ｅ）  軸方向に一部開口した回動軸受け（３５）が、上記入れ子材（Ｉ）のリブ状固定軸（４２）に嵌まり合い、ビスホール（２０）の開口縁（２９）に向かって後方片（３６）が延び、上記段付き凹溝（２４）に対応する位置にＴ字脚（３２）を設け、上記クランプ（Ｃ）の頭部（５１）の貫通孔を設けた押え蓋（Ｆ）とからなり、
上記押え蓋（Ｆ）を開いて後方片（３６）をビスホール（２０）の開口縁（２９）に接触・強制通過させてその状態を維持し、上記段付き凹溝（２４）に補強縁（１２）を差し込み、次いで押え蓋（Ｆ）の後方片（３６）をビスホール（２０）の開口縁（２９）に接触・強制通過させて押え蓋（Ｆ）を倒すと共に、Ｔ字脚（３２）を段付き凹溝（２４）に押し込み、クランプ（Ｃ）を摺動させて押え蓋を固定してするようにした防虫網張付け構造。
【発明の詳細な説明】
【技術分野】
【０００１】  この発明はサッシへの張付け作業を容易にした防虫網張付け構造に関する。
【背景技術】
【０００２】  本出願人は、特願２００８−０９９７６４（図８参照）で「サッシ６１に張付けられる防虫網６２であって、サッシ６１の大きさに合わせて裁断した防虫網６２の各辺にテープ状補強材６３を一体に張付けてなり、好ましくは上記サッシ６１に張付けられる防虫網６２の各隅をテープ状補強材６３の幅に合わせて切込み６４を形成してなる構成を採用し、また、内周りに凹溝６５を形成したサッシ６１と、前記凹溝６５に嵌まり合う入れ子枠６６と、上記サッシ６１に張付けられる防虫網６２からなり、上記サッシに張付けられる防虫網６２のテープ状補強部６３を折り曲げて上記凹溝６５に差込み、その状態で入れ子枠６６を上記凹溝６５に嵌め込んでなる構成とし、好ましくは、上記サッシ６１の凹溝６５と入れ子枠６６との間に嵌め殺し構造６７を採用したサッシへの防虫網張付け構造」を提案し、その後も実用化に向けて具体的な検討を重ねてきた。なお、図７は建物の開口部６８に窓枠が嵌められ、これに遮光ホルダーＨでもって面格子Ｍを取り付け、この面格子Ｍに上記防虫網張付け構造を採用したものである。【０００３】  その結果前記提案に係る防虫網張付け構造では、建付け済みサッシ（以下、単に「サッシ」という）に防虫網を張付けるとき、張付けが完了するまでの過程で防虫網が捲くれたり、ずれ落ちたりするのを防止する必要があって現場での作業性に問題があることが分かった。
【発明の開示】
【発明が解決しようとする課題】
【０００４】  そこで本発明は、サッシに防虫網を張付けるとき、その巻き癖によって捲くれたり、ずれ落ちたりしないようにして、現場作業を容易にした防虫網の張付け構造を提供することを課題とする。
【課題を解決するための手段】
【０００５】  上記課題を解決するために本発明は、次の＜Ａ＞から＜Ｃ＞の構成採用したものである。【０００６】＜Ａ＞
（ａ）  各辺の縁に樹脂テープ１１を貼り合せて補強縁１２とした防虫網１０と、
（ｂ）  内周壁２１の内側に沿って、上端に鉤２２を形成した段付き隔壁２３を立ち上げ、上記防虫網１０の補強縁１２と後記押え蓋Ｆの鉤状リブ３１を設けたＴ字脚３２とを収容する段付き凹溝２４を形成したサッシＳと
（ｃ）  上記サッシＳに、軸方向に一部を開口した軸受け２７を形成し、この軸受け２７にＴ字脚３２を有する押え蓋Ｆのリブ状回転軸３３を嵌め入れてなる押え蓋Ｆとからなり
上記段付き凹溝２４の底部分に上記補強縁１２を差し込み、押え蓋Ｆを倒すと共に、そのＴ字脚３２を段付き凹溝２４に押し込み、上記段付き隔壁２３の上端の鉤２２に上記Ｔ字脚の鉤状リブ３１を係合させてなるものである。【０００７】＜Ｂ＞
（ａ）  各辺の縁に樹脂テープ１１を貼り合せて補強縁１２とした防虫網１０と、
（ｂ）  内周壁２１の内側に沿って、鉤状段部２８を形成した段付き隔壁２３を立ち上げ、上記補強縁１２と後記押え蓋ＦのＴ字脚３２とを収容する段付き凹溝２４を形成し、上記段付き隔壁２３と外周壁２５との間に後記入れ子材Ｉを収容する長さ方向に延びる懐２６を形成したサッシＳと
（ｃ）  上記懐２６に嵌り合って詰め物４０で固定され、サッシＳの外周壁側からツノ状リブ４１とリブ状固定軸４２とを順に設け、このリブ状固定軸４２に直行する方向にサッシＳの内周壁１１に向けてアリ溝４３を設け、上記段付き隔壁２３に接する面には段付き隔壁２３に形成した鉤状段部２８に係合する鉤状リブ４４を形成した入れ子材Ｉと
（ｄ）  上記入れ子材Ｉのアリ溝４３に摺動可能に嵌り合い、後記押え蓋Ｆの貫通孔３４を頭部５１と掛止め片５２が貫通し、押え蓋Ｆの開閉を可能または阻止するクランプＣと、
（ｅ）  軸方向に一部開口した回動軸受け３５が、上記入れ子材Ｉのリブ状固定軸４２に嵌まり合い、ツノ状リブ４１に向かって後方片３６が延び、上記段付き凹溝２４に対応する位置にＴ字脚３２を設け、上記クランプＣの頭部５１の貫通孔３４を設けた押え蓋Ｆとからなり、
上記押え蓋Ｆを開いて後方片３６をツノ状リブ４１に接触・強制通過させてその状態を維持し、上記段付き凹溝２４に上記補強縁１２を差し込み、次いでクランプＣの頭部５１が押え蓋Ｆの貫通孔３４を通過するように位置させ、後方片３６をツノ状リブ４１に接触・強制通過させて押え蓋Ｆを倒すと共に、Ｔ字脚３２を段付き凹溝２４に押し込み、クランプＣを摺動させて押え蓋を固定してするようにしたものである。【０００８】＜Ｃ＞
（ａ）  各辺の縁に樹脂テープ１１を貼り合せて補強縁１２とした防虫網１０と、
（ｂ）  内周壁２１の内側に沿って、鉤状段部２８を形成した段付き隔壁２３を立ち上げ、上記補強縁１２と後記押え蓋ＦのＴ字脚３２とを収容する段付き凹溝２４を形成し、上記段付き隔壁２３と外周壁２５との間に後記入れ子材Ｉを収容する長さ方向に延びる懐２６を形成し、外周壁２５の隅に上向き・軸方向に開口したビスホール２０を形成したサッシＳと
（ｃ）  上記サッシＳのビスホール２０の外面に接する凹面４６と上記段付き隔壁２３の鉤状段部２８に係合する鉤状リブ４４を設け、上記凹面側にリブ状固定軸４２を設け、このリブ状固定軸４２に直行する方向にサッシＳの内周壁１１に向けてアリ溝４３を形成した入れ子材Ｉと
（ｄ）  上記入れ子材Ｉのアリ溝４３に摺動可能に嵌り合い、後記押え蓋Ｆの貫通孔２６を頭部５１と掛止め片５２が貫通し、押え蓋Ｆの開閉を可能または阻止するクランプＣと、
（ｅ）  軸方向に一部開口した回動軸受け３５が、上記入れ子材Ｉのリブ状固定軸４２に嵌まり合い、ビスホール２０の開口縁２９に向かって後方片３６が延び、上記段付き凹溝２４に対応する位置にＴ字脚３２を設け、上記クランプＣの頭部５１の貫通孔を設けた押え蓋Ｆとからなり、
上記押え蓋Ｆを開いて後方片３６をビスホール２０の開口縁２９に接触・強制通過させてその状態を維持し、上記段付き凹溝２４に補強縁１２を差し込み、次いで押え蓋Ｆの後方片３６をビスホール２０の開口縁２９に接触・強制通過させて押え蓋Ｆを倒すと共に、Ｔ字脚３２を段付き凹溝２４に押し込み、クランプＣを摺動させて押え蓋を固定してするようにしたものである。
【発明の効果】
【０００９】  上記のごとく構成するこの発明によれば、サッシに防虫網を張付ける際、押え蓋を開くとその状態（開いた状態）が維持され、防虫網の補強縁を上記段付き凹溝に差し込んで仮止めすることができ、その後、押え蓋を倒して防虫網を固定することができる。従って、押え蓋の不用意な動きに惑わされず均等な張力でもって防虫網を張付けることができる。また、＜Ｂ＞、＜Ｃ＞の発明ではサッシの懐内に短い入れ子材を嵌めいれるようにしているので、入れ子材の成形が容易に、かつ、材料の節約が可能になり、また、サッシのアルミ押出し成形が容易になってコストを抑える効果を得ることができる。
【発明を実施するための最良の形態】
【実施例１】
【００１０】  次にこの発明の実施例１について図１を参照しながら説明する。この実施例は、一般的な網戸に適したもので、サッシＳの内周壁２１の内側に沿って上端に鉤２２を設けた段付き隔壁２３が形成され、補強壁２７ａの上端に長さ方向に一部を開口した軸受け２７が形成されている。【００１１】  上記サッシＳの軸受け２７には押え蓋Ｆのリブ状回転軸３３が差し込まれ、回動側には鉤状リブ３１を形成したＴ字脚３２が設けられている。【００１２】  防虫網１０をサッシＳに張付けるには、先ず防虫網の各辺に樹脂（例えばＰＥＴ）テープ１１を合わせて補強縁１２とし、防虫網１０の四隅に樹脂テープ１１の幅に合わせて切り込み１３ａを入れて、また辺が長いときは切り込み１３ｂを入れて張付け易いように準備する。【００１３】  次に押えた蓋Ｆを起こして、上記準備した防虫網１０の補強縁１２をサッシＳの段付き凹溝２４の底部分に差込み、押え蓋Ｆを倒してＴ字脚３２を段付き凹溝２４に嵌めこむ、このとき段付き隔壁２３の鉤２２の先端とＴ字脚３２の鉤状リブ３１の先端とは干渉するが、それぞれが撓んで接触・強制通過して掛け止め状態となる。【００１４】  上記段付き隔壁２３・内周壁２１間の隙間は補強縁１２の厚さの１．２倍から１．５倍程度にすると作業中に防虫網１０が不用意に外れることなく、また、補強縁１２の差込みもスムースに行うことができる。また、段付き隔壁２３の付け根部分に突起を形成しているのは、張付け中の防虫網が引っ張られると突起が支点になって補強縁１２が天秤になり、不用意な抜けを防止する効果を発する。
【実施例２】
【００１５】  次に実施例２について図２〜図４を参照しながら説明する。図２は建物の開口部６８に設けた窓枠６９に、ホルダーＨを介して面格子Ｍが取り付けられ、この面格子Ｍに防虫網が張付けたところを示している。この実施例において、サッシＳおよび押え蓋Ｆは窓枠の大きさに対応して縦・横に延びており、サッシＳの懐２６には嵌め入れられる入れ子材ＩはサッシＳの各辺長さ方向に二個または複数個、間隔をあけて配置する。要するに入れ子材Ｉは、サッシＳに対して押え蓋Ｆを開閉可能に取り付けるときの蝶番のような働きをする。【００１６】  図３、図４を参照しながらさらに詳しく説明する。サッシＳは、内周壁２１の内側に沿って、鉤状段部２８を形成した段付き隔壁２３を立ち上げ、防虫網１０の補強縁１２と押え蓋ＦのＴ字脚３２とを収容する段付き凹溝２４を形成し、上記段付き隔壁２３と外周壁２５との間に入れ子材Ｉを収容する長さ方向に延びる懐２６を形成している。【００１７】  入れ子材Ｉは、上記懐２６に嵌り合って詰め物４０で固定され、サッシＳの外周壁側から順にツノ状リブ４１とリブ状固定軸４２とを設け、このリブ状固定軸４２に直行する方向にサッシＳの内周壁２１に向けてアリ溝４３を設け、上記段付き隔壁２３に接する面には段付き隔壁２３に形成した鉤状段部２８に係合する鉤状リブ４４を形成したものである。【００１８】  クランプＣは、上記入れ子材Ｉのアリ溝４３に摺動可能に嵌り合い、押え蓋Ｆの貫通孔３４を掛止め片５２と共に頭部５１が貫通し、押え蓋Ｆを開くときはクランプＣをリブ状固定軸４２側に滑らせて「開」とし、押え蓋Ｆを閉じるときは反対側に滑らせて掛止め片５２を押え蓋Ｆに引っ掛けて「閉」とする。【００１９】  押え蓋Ｆは、軸方向に一部開口した回動軸受け３５が、上記入れ子材Ｉのリブ状固定軸４２に嵌まり合い、ツノ状リブ４１に向かって後方片３６が延び、上記段付き凹溝２４に対応する位置にＴ字脚３２を設けたものである。【００２０】  防虫網１０の張付け作業は、押え蓋Ｆを開いて後方片３６をツノ状リブ４１に接触・強制通過させると、ツノ状リブ４１が後方片３６に干渉して押え蓋Ｆが「開」の状態を維持する。その状態で上記段付き凹溝２４に防虫網１０の補強縁１２を差し込み、クランプＣの頭部５１は押え蓋Ｆの貫通孔３４を通過するように位置させ、押え蓋Ｆを強制的に倒してクランプＣを移動させて押え蓋Ｆを固定して完了する。
【実施例３】
【００２１】  次に実施例３を図５及び図６を参照しながら説明する。サッシＳは、内周壁２１の内側に沿って、鉤状段部２８を形成した段付き隔壁２３を立ち上げ、上記補強縁１２と後記押え蓋ＦのＴ字脚３２とを収容する段付き凹溝２４を形成し、上記段付き隔壁２３と外周壁２５との間に後記入れ子材Ｉを収容する長さ方向に延びる懐２６を形成し、外周壁２５の隅には上向き・軸方向に開口したビスホール２０を形成している。【００２２】  入れ子材Ｉは、ビスホール２０の外面に接する凹面４６と上記段付き隔壁２３の鉤状段部２８に係合する鉤状リブ４４を設け、上記凹面側にリブ状固定軸４２を設け、このリブ状固定軸４２に直行する方向にサッシＳの内周壁１１に向けてアリ溝４３を形成したものである。【００２３】  クランプＣは、上記入れ子材Ｉのアリ溝４３に摺動可能に嵌り合い、押え蓋Ｆの貫通孔３４を掛止め片５２と共に頭部５１が貫通し、押え蓋Ｆを開くときはクランプＣをリブ状固定軸４２側に滑らせて「開」とし、押え蓋Ｆを閉じるときは反対側に滑らせて掛止め片５２を押え蓋Ｆに引っ掛けて「閉」とする。【００２４】  押え蓋Ｆは、軸方向に一部開口した回動軸受け３５が、上記入れ子材Ｉのリブ状固定軸４２に嵌まり合い、ビスホール２０の開口縁２９に向かって後方片３６が延び、上記段付き凹溝２４に対応する位置にＴ字脚３２を設け、上記クランプＣの頭部５１の貫通孔を設けたものである。【００２５】  防虫網を張付ける作業は、押え蓋Ｆを開いて後方片３６をビスホール２０の開口縁２９に接触・強制通過させるとその状態を維持し、この状態で上記段付き凹溝２４に防虫網１０の補強縁１２を差し込み、クランプＣの頭部５１を押え蓋Ｆの貫通孔３４を通過するように位置させ、押え蓋Ｆを倒してクランプＣを移動させて押え蓋を固定して完了する。【００２６】  上記実施例２および実施例３は、面格子に防虫網を張付ける状態で説明しているが、この構造は通常の網戸にも採用できる。また、防虫網の素材としてＰＥＴ繊維（糸）やガラス繊維（糸）を採用することができ、補強縁１２の形成は防虫網の片面または両面からＰＥＴテープを熱融着させることが好ましく、熱融着に際しては防虫網の熱老化が起きないように注意する。
【産業上の利用可能性】  以上説明した如くこの発明は、網戸を窓枠から外すことなく防虫網を張り替えることができ、作業者の熟練度に関係なく綺麗に張付けることが可能となる。また、この防虫網張付け構造を採用することにより面格子への防虫網の張付け・張替えが極めて容易になり産業状の利用価値の高いものである。
【図面の簡単な説明】
【００２７】
【図１】  本発明に係る実施例１の（ａ）部分断面図、（ｂ）防虫網の部分平面図
【図２】  同実施例２を面格子に適応した状態説明図
【図３】  同部分拡大断面図
【図４】  同部品組み立て説明図
【図５】  同実施例３の部分拡大断面図
【図６】  同部品組み立て説明図
【図７】  面格子に適用した先行技術の説明図
【図８】  網戸に適用して先行技術の説明図
【符号の説明】
【００２８】Ｓ  サッシ
Ｉ  入れ子枠
Ｆ  押え蓋
Ｃ  クランプ
Ｈ  ホルダー
Ｍ  面格子
１０  防虫網
１１  樹脂テープ
１２  補強縁
１３  第一凹溝
２０  ビスホール
２１  内周壁
２２  鉤
２３  段付き隔壁
２４  段付き凹溝
２５  外周壁
２６  懐
２７  軸受け
２８  鉤状段部
２９  開口縁
３１  鉤状リブ
３２  Ｔ字脚
３３  リブ状回転軸
３４  貫通孔
３５  回動軸受け
３６  後方片
４０  詰め物
４１  ツノ状リブ
４２  リブ状固定軸
４３  アリ溝
４４  鉤状リブ
４５  凹面
５１  頭部
５２  掛止め片
５３  アリ
６８  開口部
６９  窓枠
【図１】
2010053677.tif 000003
【図２】
2010053677.tif 000004
【図３】
2010053677.tif 000005
【図４】
2010053677.tif 000006
【図５】
2010053677.tif 000007
【図６】
2010053677.tif 000008
【図７】
2010053677.tif 000009
【図８】
2010053677.tif 000010